(57)【特許請求の範囲】
【請求項１】
搬送手段の載置面に載置された被捺染物を捺染するフラットスクリーン捺染装置におけるスキージ位置調整機構であって、
スキージと、
被捺染物の上方で往復動するスキージキャリアと、
前記スキージキャリアに対して昇降する昇降部材と、
前記昇降部材に対して上下方向に摺動する摺動部材、前記スキージが取り付けられ前記摺動部材に対して上下方向に摺動可能な取付部材、及び前記取付部材を前記摺動部材に対して任意の高さ位置で固定する固定手段を有するスキージ支持部と、
前記昇降部材に対する前記摺動部材の高さを調整するための調整手段であって、前記スキージの下端と載置面との距離、又は前記スキージの下端の載置面に対する押し込み量を表示するための表示部を有する前記調整手段と、
を備える、スキージ位置調整機構。
【請求項２】
前記固定手段は、前記摺動部材に対して前記取付部材を押圧するための押圧部材、及び前記取付部材を押圧した押圧部材と前記摺動部材とを固定するボルトである、請求項１に記載のスキージ位置調整機構。
【請求項３】
前記調整手段は、前記摺動部材に螺合する高さ調整ねじである、請求項１又は２に記載のスキージ位置調整機構。
【請求項４】
請求項１〜３のいずれかに記載のスキージ位置調整機構を備える、フラットスクリーン捺染装置。
【発明の詳細な説明】
【技術分野】
【０００１】
本発明は、スキージ位置調整機構、及びこのスキージ位置調整機構を備えるフラットスクリーン捺染装置に関するものである。
【背景技術】
【０００２】
フラットスクリーン捺染装置は、一般的に、エンドレスベルトにより搬送される布帛の上方で往復動する２つのスキージを備えており、この２つのスキージがスクリーンを介して染料を押し出すことで布帛を捺染する構成をとっている。より詳細には、２つのスキージの間に染料を投入した状態で、この２つのスキージを布帛の搬送方向と直行する方向である布帛の幅方向に走行させる。このとき、進行方向先方側のスキージはスクリーンから所定距離上昇しており、進行方向後方側のスキージは先端部が湾曲するまでスクリーンに対して押しつけられている。このようにスクリーンに対して押しつけられたスキージによって、スクリーンを介して染料が押し出され、布帛が捺染される（例えば特許文献１参照）。
【先行技術文献】
【特許文献】
【０００３】
【特許文献１】特許第２９３６４６６号公報
【発明の概要】
【発明が解決しようとする課題】
【０００４】
上述したようなフラットスクリーン捺染装置は、捺染品質向上の観点からスクリーンに適切な押圧力を加えることが必要であるため、スキージ下端の位置を調整するための調整機構が設けられることが多い。この調整機構として、スキージが取り付けられたスキージ取付部材に螺合した高さ調整ねじを回転させることにより、スキージ取付部材及びスキージを上下動させるものが広く知られている。このような調整機構を備えるフラットスクリーン捺染装置を使用する場合、スクリーンに適切な押圧力が加えられるよう、高さ調整ねじに設けられた表示部の表示を確認しながら高さ調整ねじを回転させることでスキージ下端の位置を予め調整しておくが、スキージを長期間使用しているとスキージ先端部が摩耗してスキージの長さが短くなってしまうことがある。また、スキージ先端部が変形することもあり、この場合はスキージを研磨しなければならないため、やはりスキージの長さが短くなる。このような場合、高さ調整ねじによってスキージを短くなった分だけ下降させ、スキージ下端の位置が当初と同じになるよう調整するが、このとき、表示部に表示されたスキージ下端の位置は当初表示されていた値から変動する。すなわち、実際のスキージ下端の位置と表示部に表示されたスキージ下端の位置との間にずれが生じることとなり、スキージの位置管理が煩雑になるという問題があった。
【０００５】
そこで、本発明は、スキージの位置管理が容易なスキージ位置調整機構及びフラットスクリーン捺染装置を提供することを課題とする。
【課題を解決するための手段】
【０００６】
本発明に係るスキージ位置調整機構は、上記課題を解決するためになされたものであり、搬送手段の載置面に載置された被捺染物を捺染するフラットスクリーン捺染装置におけるスキージ位置調整機構であって、スキージと、被捺染物の上方で往復動するスキージキャリアと、前記スキージキャリアに対して昇降する昇降部材と、前記昇降部材に対して上下方向に摺動する摺動部材、前記スキージが取り付けられ前記摺動部材に対して上下方向に摺動可能な取付部材、及び前記取付部材を前記摺動部材に対して任意の高さ位置で固定する固定手段を有するスキージ支持部と、前記昇降部材に対する前記摺動部材の高さを調整するための調整手段であって、前記スキージの下端と載置面との距離、又は前記スキージの下端の載置面に対する押し込み量を表示するための表示部を有する前記調整手段と、を備えている。
【０００７】
上記スキージ位置調整機構は、固定手段を解除することで、摺動部材に対して取付部材及びスキージを上下動させることができる。このとき、摺動部材が昇降部材に対して上下動しないため、表示部に表示されたスキージの下端と搬送手段の載置面との距離又はスキージの下端の載置面に対する押し込み量は変動しない。このため、表示部の表示に合わせてスキージの位置を調整することができる。これにより、表示部に表示されたスキージ下端の位置と実際のスキージ下端の位置との間にずれが生じることがなく、スキージの位置管理が容易となる。
【０００８】
上記スキージ位置調整機構において、固定手段は、摺動部材に対して取付部材を押圧する押圧部材、及びこの押圧部材と摺動部材とを固定するボルトであってもよい。
【０００９】
また、上記スキージ位置調整機構において、調整手段は摺動部材に螺合する高さ調整ねじとすることができる。
【００１０】
また、本発明に係るフラットスクリーン捺染装置は、上記スキージ位置調整機構のいずれかを備えている。
【発明の効果】
【００１１】
本発明によれば、スキージの位置管理を容易にすることができる。
【図面の簡単な説明】
【００１２】
【図１】本実施形態に係るフラットスクリーン捺染装置の平面図である。
【図２】本実施形態に係るフラットスクリーン捺染装置の使用時の状態を示す、図１のＡ−Ａ断面図である。
【図３】図２のＢ−Ｂ断面図である。
【図４】本実施形態に係るフラットスクリーン捺染装置においてスキージの初期位置を調整した状態を示す、図１のＡ−Ａ断面図である。
【図５】本実施形態に係るフラットスクリーン捺染装置の高さ調整ねじの部分正面図である。
【図６】本実施形態に係るフラットスクリーン捺染装置においてスキージの長さが短くなった状態を示す、図１のＡ−Ａ断面図である。
【図７】本実施形態に係るフラットスクリーン捺染装置においてスキージの初期位置を再調整した状態を示す、図１のＡ−Ａ断面図である。
【発明を実施するための形態】
【００１３】
以下、本発明に係るスキージ位置調節機構及びこれを備えたフラットスクリーン捺染装置の実施形態について図面を参照しつつ説明する。
【００１４】
本実施形態に係るフラットスクリーン捺染装置１は、布帛（被捺染物）Ｃなどを搬送するためのエンドレスベルト（搬送手段）２と、スクリーン３と、捺染ユニット４と、を主な構成としている。
【００１５】
エンドレスベルト２は、図１の右から左へと布帛Ｃを間欠的に搬送するよう構成されている。このエンドレスベルト２は、フラットスクリーン捺染装置１の両端部に設けられた駆動ローラ（図示省略）によって駆動されている。エンドレスベルト２は布帛Ｃを載置する載置面が粘着性を有しているため、布帛Ｃはエンドレスベルト２上を滑動することがない。
【００１６】
捺染ユニット４は、布帛Ｃの幅方向（図１の上下方向）に亘って延びる２本のガイドフレーム５と、このガイドフレーム５に沿って走行する２つのスキージキャリア６と、２つのスキージキャリア６間に亘って延びる２つのスキージ７と、を主な構成としている。
【００１７】
スキージキャリア６は、スクリーン３を挟むようにスクリーン３の両側に設置されている。このスキージキャリア６は、ガイドフレーム５に摺動可能に支持されており、駆動ベルト８によってガイドフレーム５に沿って移動する。この駆動ベルト８は駆動モータ９によって回転駆動される駆動軸１０の両端に設けられた駆動プーリ１１によって駆動されている。
【００１８】
図２に示すように、スキージキャリア６には、布帛Ｃの捺染中にスキージ７を昇降させるための２つの昇降部材１２が設けられている。この２つの昇降部材１２の対向面にはピニオン１３と噛み合うラックが形成されている。図２及び図３に示すように、ピニオン１３はスキージキャリア６に回転可能に取り付けられた回転軸１４に固定されており、この回転軸１４にはカムフォロア１５も固定されている。カムフォロア１５は、下部に形成された凹部にカム１６を収容しており、このカム１６は、駆動ベルト８によってスキージキャリア６内を往復動するロッド１７上に形成されている。このロッド１７が右側に移動すると、ロッド１７上のカム１６によってカムフォロア１５が反時計回りに所定角度回転し、これにより、回転軸１４及びピニオン１３が反時計回りに回転することで、右側の昇降部材１２が上昇するとともに左側の昇降部材１２が下降する（図２参照）。一方、ロッド１７が左側に移動すると、ロッド１７上のカム１６によってカムフォロア１５が時計回りに所定角度回転し、これにより、回転軸１４及びピニオン１３が時計回りに回転することで、左側の昇降部材１２が上昇するとともに右側の昇降部材１２が下降する。このように２つの昇降部材１２が交互に上下動することにより、後述するスキージ支持部１８を介して昇降部材１２に支持された２つのスキージ７が交互に上下動する。
【００１９】
スキージ支持部１８は、スキージ７を支持するものであり、昇降部材１２に対して昇降可能に取り付けられている。詳述すると、スキージ支持部１８は、図２及び図３に示すように、昇降部材１２に対して昇降可能に取り付けられる摺動部材１８１、及びこの摺動部材１８１に固定される取付部材１８２を備えている。摺動部材１８１は、昇降部材１２と対向する面に上下方向に延びる凸部１８３が形成されており、この凸部１８３が昇降部材１２の第１の案内溝１２１内において上下方向に摺動可能に支持されている（図３参照）。そして、この摺動部材１８１は、後述する高さ調整ねじ２２により、昇降部材１２に対して任意の高さで固定されている。摺動部材１８１には上下方向に延びる第２の案内溝１８４が形成されており、この第２の案内溝１８４内において取付部材１８２が上下方向に摺動可能に支持されている。取付部材１８２は、肩部１８５が形成されており、この肩部１８５の厚さは肩部１８５に隣接する摺動部材１８１の壁部の高さよりも０．１〜０．３ｍｍ大きくなっている。肩部１８５には押圧部材１９が係合しており、植え込みボルト２０が押圧部材１９を貫通して摺動部材１８１の壁部に挿入されている。この植え込みボルト２０と螺合するナット２１を摺動部材１８１側に締め付けると、ナット２１によって押圧部材１９が摺動部材１８１側に押し付けられ、さらに、肩部１８５の厚さが摺動部材１８１の壁部の高さよりも大きいことで、肩部１８５が押圧部材１９によって摺動部材１８１側に押圧される。これにより、取付部材１８２が落下しないよう摺動部材１８１に対して固定される。また、取付部材１８２は、スキージ７を収容するための収容溝１８６が形成されている（図３参照）。この収容溝１８６は、下端側が封鎖されており、上端には開閉可能な蓋１８７が取り付けられている（図２参照）。
【００２０】
スキージ７は、図２に示すように、ブラケット７１、スキージホルダ７２、及びスキージゴム７３を備えている。ブラケット７１は、取付部材１８２に対して上下動しないよう固定される。より詳細には、ブラケット７１は、図２及び図３に示すように、取付部材１８２の収容溝１８６に沿って下降させられ、その下面が収容溝１８６の封鎖された下端に当接して停止する。この状態で取付部材１８２の蓋１８７を閉じると、ブラケット７１の上面が蓋１８７に当接し、ブラケット７１が取付部材１８２に対して上下動しないよう固定される。また、ブラケット７１にはスキージホルダ７２が取り付けられている。このスキージホルダ７２は、対向する２つのスキージキャリア６間を延びており、スキージゴム７３を保持している。このスキージゴム７３は、布帛Ｃの捺染中にスクリーン３を押圧することができるよう、スクリーン３に当接して湾曲する。
【００２１】
高さ調整ねじ２２は、昇降部材１２に対するスキージ支持部１８の高さを調整するものであり、図２に示すように、高さ調整ノブ２２１、及び高さ調整ノブ２２１に連結された高さ調整ねじ本体２２２を有している。高さ調整ねじ本体２２２は、外周面全体に亘ってねじ山が形成されており、昇降部材１２上に固定された連結板２３を貫通して、スキージ支持部１８の摺動部材１８１に螺合している。この高さ調整ねじ本体２２２は、高さ調整ノブ２２１によって回転させられることで、摺動部材１８１を高さ調整ねじ本体２２２及び昇降部材１２に対して上下動させる。また、高さ調整ねじ本体２２２は、連結板２３上に設けられた透明な目盛筒２４を貫通している。この目盛筒２４は、上端部が天板２５に、下端部が連結板２３に固定ねじ（図示省略）によって固定されている。また、目盛筒２４は、ミリ単位の目盛が付されており、この目盛を指し示すための指針部材２６を収容している。指針部材２６は、高さ調整ねじ本体２２２と螺合しており、高さ調整ねじ本体２２２が回転すると、スキージ支持部１８と同じ距離だけ高さ調整ねじ本体２２２に対して上下動する。目盛筒２４及び指針部材２６は共に角柱状に形成されており、高さ調整ねじ本体２２２が回転した場合、指針部材２６は、高さ調整ねじ本体２２２と一緒に回転しないよう目盛筒２４の内壁に当接する。なお、本実施形態における目盛筒２４及び指針部材２６は本発明の表示部に相当する。
【００２２】
次に、上述したように構成されたフラットスクリーン捺染装置１におけるスキージ７の位置を調整する方法について説明する。なお、本実施形態では、図４における左側のスキージ７の位置を調整する場合についてのみ説明するが、右側のスキージ７についても同様の手順でその位置を調整することができる。
【００２３】
まず、スキージ７の初期位置を調整する。詳述すると、スキージ７が取り付けられていない状態の取付部材１８２を摺動部材１８１に固定するとともに、摺動部材１８１を昇降部材１２に取り付ける。このとき、昇降部材１２が一番下まで下降した状態でスキージ支持部１８にスキージ７を取り付けた場合にスキージ７の下端がエンドレスベルト２に接触するよう、ハイトゲージ等を使用して、スキージ支持部１８の位置を調整する。次に、カムフォロア１５及びピニオン１３を図４における反時計回りに所定角度回転させることで昇降部材１２を一番下まで下降させる。続いて、目盛筒２４と天板２５及び連結板２３とを固定していた固定ねじ（図示省略）を緩めて目盛筒２４を回転させることで、指針部材２６を高さ調整ねじ本体２２２に対して上下動させる。このとき、高さ調整ねじ本体２２２は回転しないため、摺動部材１８１は上下動しない。指針部材２６を目盛筒２４の目盛「０」を指し示す位置まで移動させた後、目盛筒２４と天板２５及び連結板２３とを固定ねじ（図示省略）によって再び固定する。そして、スキージ７を取付部材１８２に取り付けると、スキージゴム７３の下端がエンドレスベルト２に接触する（図４参照）。これにより、指針部材２６が目盛筒２４の目盛「０」を指し示したときにスキージ７の下端がエンドレスベルト２に接触した状態となるよう、スキージ７の初期位置が調整される。
【００２４】
次に、布帛Cの捺染中にスキージ７によってスクリーン３を押圧することができるよう、スキージ７を下降させる。すなわち、高さ調整ノブ２２１によって高さ調整ねじ本体２２２を回転させ、指針部材２６を例えば目盛「４」を指し示すまで下降させると、スキージ支持部１８及びスキージ７も昇降部材１２に対して４ｍｍ下降し、スキージゴム７３の先端部がエンドレスベルト２に当接して湾曲する（図２参照）。これにより、布帛Ｃの捺染中にエンドレスベルト２に載置されたスクリーン３をスキージゴム７３によって押圧することができる。
【００２５】
上述したように、スキージ７によってスクリーン３を押圧した状態で布帛Ｃの捺染を行うが、スキージ７を長期間使用していると摩耗等によってスキージゴム７３の長さが当初よりも短くなる。この場合は、再度スキージ７の初期位置を調整するが、上述したようにスキージ支持部１８とスキージ７、及び高さ調整ねじ２２と目盛筒２４とを分解する必要はない。詳述すると、まず、カムフォロア１５及びピニオン１３を図６における反時計回りに所定角度回転させることで昇降部材１２を一番下まで下降させる。次に、高さ調整ノブ２２１によって高さ調整ねじ本体２２２を回転させることで、指針部材２６を目盛筒２４の目盛「０」を指し示すまで上昇させる。このとき、高さ調整ねじ本体２２２の回転によってスキージ支持部１８及びスキージ７も昇降部材１２に対して上昇するが、スキージゴム７３の長さが当初よりも短くなっているため、スキージゴム７３の先端はエンドレスベルト２から離間する（図６参照）。この状態で押圧部材１９を固定していたナット２１を緩めると、取付部材１８２に対する押圧部材１９の押圧が解除され、重力により、取付部材１８２が摺動部材１８１の第２の案内溝１８４内を摺動落下し、スキージゴム７３の先端がエンドレスベルト２に接触する（図７参照）。その後、再びナット２１を摺動部材１８１側に締め付けると、取付部材１８２が押圧部材１９によって摺動部材１８１側に押圧され、落下しないよう摺動部材１８１に固定される。これにより、指針部材２６が目盛筒２４の目盛「０」を指し示したときにスキージ７の下端がエンドレスベルト２に接触した状態となるよう、スキージ７の初期位置が再調整される。
【００２６】
以上のように、本実施形態によれば、スキージゴム７３の長さが当初よりも短くなることで実際のスキージ７の位置と目盛筒２４及び指針部材２６が表示している値との間にずれが生じた場合、スキージ支持部１８とスキージ７、及び高さ調整ねじ２２と目盛筒２４とを分解することなく、目盛筒２４及び指針部材２６の表示と一致するようスキージ７の初期位置を調整し直すことができる。このため、実際のスキージ７の位置と目盛筒２４及び指針部材２６の表示とがずれたままとなるのを防止することができ、スキージ７の位置を容易に管理することができる。
【００２７】
以上、本発明の実施形態について説明したが、本発明はこれらに限定されるものではなく、本発明の趣旨を逸脱しない限りにおいて種々の変更が可能である。上記実施形態において、スキージ支持部１８の取付部材１８２を摺動部材１８１に固定するための固定手段として押圧部材１９、植え込みボルト２０、及びナット２１を使用していたが、取付部材１８２を摺動部材１８１の任意の高さ位置に固定することができればこれに限定されず、例えば、摺動部材１８１に上下方向に長い長孔を形成するとともに取付部材１８２にねじ孔を形成し、摺動部材１８１と取付部材１８２とをボルトによって直接固定してもよい。
【００２８】
また、上記実施形態において、摺動部材１８１には第２の案内溝１８４が形成されていたが、取付部材１８２が摺動部材１８１に対して上下方向に摺動することができればこれに限定されず、例えば、取付部材１８２側に突出するガイドレールを摺動部材１８１に形成し、取付部材１８２がこのガイドレールに跨った状態で摺動するよう構成してもよいし、また、摺動部材１８１に案内溝やガイドレールを形成しなくてもよい。
【００２９】
また、上記実施形態において、摺動部材１８１は高さ調整ねじ２２によって上下動するよう構成されていたが、昇降部材１２に対する摺動部材１８１の高さを調整できるものであればこれに限定されず、例えば、昇降部材１２に上下方向に並ぶ複数の孔を形成しておき、この複数の孔に対して選択的にスキージ支持部１８が有するストッパを差し込む等、種々の方法によって摺動部材１８１の高さを調整することができる。
【００３０】
また、上記実施形態において、目盛筒２４及び指針部材２６が共に角柱状に形成されていたが、指針部材２６が高さ調整ねじ本体２２２と共に回転しないものであればこれに限定されず、例えば、目盛筒２４の内側に凸部を設けるとともに指針部材２６の外側面にこの凸部と係合する凹部を設けてもよい。この場合は目盛筒２４及び指針部材２６を円柱状に形成することもできる。
【００３１】
また、上記実施形態において、指針部材２６を高さ調整ねじ本体２２２に螺合させることでスキージ支持部１８と同じ距離だけ上下動させ、スキージ７の位置を表示するよう構成していたが、スキージ７の位置を表示することができるものであればこれに限定されず、例えば、昇降部材１２に目盛を設けるとともに摺動部材１８１に指針を設けてもよい。
【００３２】
また、上記実施形態において、２つの昇降部材１２は互いに対向する面に形成されたラック及びこのラックと噛み合うピニオン１３によって昇降していたが、昇降部材１２がスキージキャリア６に対して昇降することができればこれに限定されず、例えば、昇降部材１２をシリンダによって直接昇降させる等、種々の方法によって昇降部材１２を昇降させることができる。
【符号の説明】
【００３３】
１     フラットスクリーン捺染装置
２     エンドレスベルト（搬送手段）
６     スキージキャリア
７     スキージ
１２   昇降部材
１８   スキージ支持部
１８１ 摺動部材
１８２ 取付部材
１９   押圧部材（固定手段）
２０   植え込みボルト（固定手段）
２１   ナット（固定手段）
２２   高さ調整ねじ
２４   目盛筒（表示部）
２６   指針部材（表示部）
【図１】
0005534950.tif 000002
【図２】
0005534950.tif 000003
【図３】
0005534950.tif 000004
【図４】
0005534950.tif 000005
【図５】
0005534950.tif 000006
【図６】
0005534950.tif 000007
【図７】
0005534950.tif 000008